(57)【特許請求の範囲】
【請求項１】
（イ）本体の頂部に設けられた廃棄物投入口（ホッパー）１１と、該ホッパーの下部に形成され、らせん状の撹伴羽根１２を内蔵する縦形円筒状の粉砕・混合部５１と、該粉砕・混合部の底部にその頂部の一部が連通する横形円筒状の加圧成型部５２とから成り、前記加圧成型部の一方の端部にゲートバルブ５３により開閉自在に構成された成型物排出口５４が設けられるとともに、前記加圧成型部の他方の端部５５が解放されている本体５と、
（ロ）前記横形円筒状の加圧成型部５２と同心状に設けられた該加圧成型部の他方の解放された側の内面に沿って摺動できる該加圧成型部の内径より小さい外径を有するムーブケーシング６と、
（ハ）該ムーブケーシングの加圧成型部側とは反対の側に該ムーブケーシングと同心状にかつ連通して設けられたシリンダ７と、
（ニ）該シリンダ内のピストン８１とピストンロッド８２を介して一体に形成され、前記ムーブケーシング内を往復動するピストン８と、
（ホ）前記ムーブケーシングを前記加圧成型部の他方の解放された側の内面に沿ってゲートバルブ側に摺動しながら移動させるためのシリンダ９と、
（ヘ）前記両シリンダを駆動させるための油圧ユニット１０と、
（ト）ミキサー２１と圧送ポンプ２２と前記粉砕・混合部と圧送ポンプとを連結したホース２３とを備えた結合剤（バインダ）溶液またはセメントミルク調製ユニット２とから成る処理装置を、
（チ）台枠の前後に車輪を取り付けた台車４の上に設置したことを特徴とする取り壊した建築物廃棄物のリサイクル用装置。
【発明の詳細な説明】
【０００１】
【発明の属する技術分野】
本発明は、建築・建設廃棄物、産業廃棄物などの廃棄物、とくに取り壊した建築物から発生するコンクリート、岩綿（ロックウール）、木材チップ、プラスチック、ガラス、金属（たとえば鉄骨・アルミ）などの廃棄物の中から特にコンクリート、ロックウール、木材チップなどを回収し、これらの廃棄物をその場でリサイクルして建材製品として再生するための方法および移動可能な装置に関するものである。
【０００２】
【従来の技術】
従来、建築・建設廃棄物、産業廃棄物などの廃棄物、とくに取り壊したビルや家屋などの建築物から発生するコンクリート、岩綿（ロックウール）、木材チップ、プラスチック、ガラス、金属（たとえば鉄骨・アルミ）などの廃棄物は主として海岸の埋め立てなどに利用されている（場合によって金属などは適宜選別されて処理工場に運ばれリサイクルされている。）が、これら廃棄物の発生量は近年著しく増大している一方で、埋め立て地などの確保が年々難しくなって来ているほか、その処理費用も急激に増大しており、不法投棄によって環境破壊などの社会問題を引き起こしたケースも報告されている。
【０００３】
【発明が解決しようとする課題】
そこで本発明の目的は、上記廃棄物の中から特にコンクリート、ロックウール、木材チップなどをリサイクルして建材製品として再生する装置を含む簡易なシステムを提供することにより省資源時代の要請に応えようとするものである。
【０００４】
【課題を解決するための手段】
本発明者は鋭意検討の結果、上記廃棄物の発生現場において建材原料の選別、粉砕・混合・粒度調整、加圧成型を順次実施するシステムを採用することにより上記目的を達成することができることを見出し、本発明を完成するに至った。
【０００５】
すなわち、本発明の取り壊した建築物廃棄物のリサイクル用装置は、
（イ）本体の頂部に設けられた廃棄物投入口（ホッパー）１１と、該ホッパーの下部に形成され、らせん状の撹伴羽根１２を内蔵する縦形円筒状の粉砕・混合部５１と、該粉砕・混合部の底部にその頂部の一部が連通する横形円筒状の加圧成型部５２とから成り、前記加圧成型部の一方の端部にゲートバルブ５３により開閉自在に構成された成型物排出口５４が設けられるとともに、前記加圧成型部の他方の端部５５が解放されている本体５と、（ロ）前記横形円筒状の加圧成型部５２と同心状に設けられた該加圧成型部の他方の解放された側の内面に沿って摺動できる該加圧成型部の内径より小さい外径を有するムーブケーシング６と、（ハ）該ムーブケーシングの加圧成型部側とは反対の側に該ムーブケーシングと同心状にかつ連通して設けられたシリンダ７と、（ニ）該シリンダ内のピストン８１とピストンロッド８２を介して一体に形成され、前記ムーブケーシング内を往復動するピストン８と、（ホ）前記ムーブケーシングを前記加圧成型部の他方の解放された側の内面に沿ってゲートバルブ側に摺動しながら移動させるためのシリンダ９と、（ヘ）前記両シリンダを駆動させるための油圧ユニット１０と、（ト）ミキサー２１と圧送ポンプ２２と前記粉砕・混合部と圧送ポンプとを連結したホース２３とを備えた結合剤（バインダ）溶液またはセメントミルク調製ユニット２とから成る処理装置を、（チ）台枠の前後に車輪を取り付けた台車４の上に設置したことを特徴とするものである。
【０００６】
【発明の実施の形態】
次に、本発明の上記構成要件について図１のフローシートを参照しながらさらに具体的に説明する。ビルや家屋などの建築物の取り壊しが行われると、そこから大量の廃棄物、すなわち外壁などのコンクリート、吸音材・保温材などの岩綿（ロックウール）、木材のチップ、プラスチック、ガラス、鉄骨・アルミなどの金属が発生する。そこで（ａ）段階で回収した上記廃棄物の中から、（ｂ）段階で特にコンクリート、ロックウール、木材チップなどを選別し、これらの廃棄物を建材製品の原料とする。次いで（ｃ）段階で選別された原料を細かく粉砕し、均一に混合し、（ｄ）段階で原料粉末を所望の粒度範囲に調整する。次に原料粉末同士が後段の加圧成型段階で接着しやすいように（ｅ）段階で原料粉末の材質に対応して、すなわち原料粉末の材質が木材の場合には結合剤（たとえば有機バインダなど）を、また原料粉末の材質がコンクリートまたはロックウールの場合にはセメントミルクをそれぞれの原料粉末に添加し、混合・撹伴することによりそれぞれの建材製品として成型すべき材料を調製する。このようにして調製された成型材料を（ｆ）段階で必要に応じて加熱しながら成型材料を加圧成型することにより成型物とする。成型物の形状は任意であるが、通常建材として使用しやすい角形などの形状が好ましい。最後に（ｇ）段階として製造された成型物を回収し建材製品として再使用する。
【０００７】
以下に本発明のリサイクル用装置の例を挙げて本発明をさらに詳しく説明する。
【０００８】
図２は、取り壊した建築物廃棄物のリサイクル用装置の概略を示す説明図である。この装置は基本的に結合剤（バインダ）溶液またはセメントミルク調製ユニット２と、本体５と、ムーブケーシング６とから成るシステム化された装置である。
【０００９】
本体５はその頂部に設けられた廃棄物投入口（ホッパー）１１と、該ホッパーの下部に形成され、らせん状の撹伴羽根１２を内蔵する縦形円筒状の粉砕・混合部５１と、該粉砕・混合部の底部にその頂部の一部が連通する横形円筒状の加圧成型部５２とから成る。
取り壊した建築物から回収された廃棄物の中から選別されたコンクリート、ロックウール、木材チップなどはホッパー１１を介して粉砕・混合部５１内に投入される。粉砕・混合部５１内には例えばらせん形状を有する撹伴羽根１２が内蔵されており、投入された前記廃棄物は撹伴羽根１２により細かく粉砕されるとともに、均一に攪拌、混合されることにより粒度調整され、成型用原料粉末が調製される。
【００１０】
結合剤（バインダ）溶液またはセメントミルク調製ユニット２はミキサー２１と圧送ポンプ２２とを備えており、圧送ポンプ２２には前記粉砕・混合部５１内に結合剤（バインダ）溶液またはセメントミルクを供給するためのホース２３が連結されている。そして原料粉末の材質に対応して、すなわち原料粉末の材質が木材の場合には結合剤（たとえば有機バインダなど）が、また原料粉末の材質がコンクリートまたはロックウールの場合にはセメントミルクがそれぞれ調製される。
【００１１】
加圧成型部５２は、一方の端部にゲートバルブ５３により開閉自在に構成された成型物排出口５４が設けられるとともに、他方の端部が解放され後述するムーブケーシング６と対向している。
【００１２】
ムーブケーシング６は前記横形円筒状の加圧成型部５２と同心状に設けられており、前記加圧成型部５２の他方の解放された側の内面に沿って摺動できるように前記加圧成型部５２の内径より小さい外径を有するものである。そして、このムーブケーシング６の外側（すなわちムーブケーシング６の加圧成型部側とは反対の側）に隣接してムーブケーシング６と同心状にかつ連通してシリンダ７が設置されている。
【００１３】
ムーブケーシング６およびシリンダ７にはそれぞれの内面に沿って往復動するピストンが内蔵されており、ムーブケーシング６内のピストン８とシリンダ７内のピストン８１とはピストンロッド８２を介して一体に形成されている。
【００１４】
ムーブケーシング６の下方に設けられた位置するシリンダ９は、ムーブケーシング６を前記加圧成型部５２の他方の解放された側の内面に沿って摺動しながらゲートバルブ５３側に移動させるためのものであり、シリンダ７の下方に設置された油圧ユニット１０は前記両シリンダ７、９を駆動させるためのものである。
【００１５】
このシステム化された装置は、建築物が取り壊される現場に容易かつ速やかに移動させることができるように、結合剤（バインダ）溶液またはセメントミルク調製ユニット２と  本体５とムーブケーシング６と油圧ユニット１０とは共に、台枠の前後に車輪を取り付けた１台の台車４の上に設置されている。
【００１６】
図２において二点鎖線で示した部分は、粉末原料を加圧成型する場合のムーブケーシング６内に内蔵されたピストン８の位置を示しており、粉末原料はピストン８により加圧成型され、成型物はゲートバルブ５３を開くことによって取り出される。成型物が取り出されると、ムーブケーシング６および内蔵されたピストン８は元の位置まで後退し、再び粉末原料が加圧成型部５２内に満たされる。なお成型物は、取り出されたのちに建材製品として適した適宜の大きさに切断される。
【００１７】
【発明の効果】
以上説明したように本発明によれば、従来廃棄されていた取り壊したビルや家屋などの建築物から発生する廃棄物の中から特にコンクリート、ロックウール、木材チップなどをその場でリサイクルして建材製品として再生できる移動可能な装置を含む簡易なシステムを提供することができる。
【図面の簡単な説明】
【図１】取り壊した建築物廃棄物のリサイクル方法を示すフローシートである。
【図２】取り壊した建築物廃棄物のリサイクル用装置の概略を示す説明図である。
【符号の説明】
１１ 廃棄物投入口（ホッパー）
１２ 撹伴羽根
２ 結合剤（バインダ）溶液またはセメントミルク調製ユニット
２１ ミキサー
２２ 圧送ポンプ
２３ ホース
４ 台車
５ 本体
５１ 粉砕・混合部
５２ 加圧成型部
５３ ゲートバルブ
５４ 成型物排出口
６ ムーブケーシング
７ シリンダ
８ ピストン
８１ ピストン
８２ ピストンロッド
９ シリンダ
１０ 油圧ユニット
１１ 成型物
Ｍ モーター
【図１】
0003787014.tif 000002
【図２】
0003787014.tif 000003